(57)【特許請求の範囲】
【請求項１】
上部に引掛片を有する据付具を空気調和機本体の据付位置に固定し、この据付具の引掛片に空気調和機本体の背面上部に形成された引掛部を掛けるようにした空気調和機において、
前記据付具には、引掛片と平行な方向に長い横方向孔と、側辺と平行な方向に長い上方向孔とを有する位置決め孔を設け、上方向孔を横方向孔よりも上方に配置するとともに上方向孔と横方向孔を連通し、横方向孔の端から上方向孔との合流点までの長さを空気調和機本体幅と据付具幅の差の１／２より長い所定長に形成し、上方向孔の上端から横方向孔との合流点までの長さを引掛部の下端から空気調和機本体の上端までの長さより長い所定長に形成したことを特徴とする空気調和機。
【請求項２】
前記位置決め孔を逆Ｔ字型に形成したことを特徴とする請求項１記載の空気調和機。
【請求項３】
前記逆Ｔ字型の位置決め孔を２つ設けたことを特徴とする請求項２記載の空気調和機。
【請求項４】
前記位置決め孔は、横方向孔と横方向孔に任意の間隔を隔てて形成された２本の上方向孔とを有することを特徴とする請求項１記載の空気調和機。
【発明の詳細な説明】
【０００１】
【発明の属する技術分野】
本発明は空気調和機に関し、特に空気調和機本体を室内壁面に据え付ける際に使用される据付具の改良に関するものである。
【０００２】
【従来の技術】
空気調和機、例えば室内機と室外機とからなる分離型空気調和機の室内機は、通常、室内の壁面上部に据え付けられる。この場合、天井（又は廻り縁）や側壁との間に一定の隙間ができるように据え付けなければならない。
【０００３】
また、室内機を据え付ける壁面には、室内機を据え付けるための特別な設備が備えられていないのが一般的であり、また固定用のビスがネジ止めできる箇所も壁面毎に限られているので、室内機本体の付属品として本体据付後は本体に隠れる鉄板製の特別な据付具が用意されている。
【０００４】
上記のような室内機本体の据付時には、先ず据付位置に上述した据付具をビスでネジ止め固定する。なお、壁面のネジ止め固定可能な箇所は限られているので、据付具には多数のビス孔が形成されており、それらの中からネジ止め固定可能な箇所のビス孔を選択して固定する。そして、固定された据付具の上部に形成された引掛片に本体背面の上部に形成された引掛部を掛けるようにして据え付けている。
【０００５】
【発明が解決しようとする課題】
ところが、上記据付具を室内機の据付位置にビスでネジ止め固定する場合、上述したように室内機と天井（又は廻り縁）や側壁との間に一定の隙間ができるように据え付けなければならないため、据付具も天井や側壁との間に後述する一定の間隔をあけて固定する必要がある。
【０００６】
従って、据付具を正しい据付位置に固定するためには、スケール等で天井や側壁との間隔を測りながら取り付けなければならず、これがなかなか容易なことでなかった。また、据付具を取り合えず固定してから室内機を壁面に仮据付してみて、天井や側壁との隙間をチェックし、正しく据え付けてなければ据付具の位置調整を行ってから再度据え付け作業を行わなければならなかった。
【０００７】
そこで、本発明はこのような問題点を解決するためになされたものであり、スケール等を使用せず、また本体の仮据付等を行わずに、簡単に据付位置を決めることができる空気調和機を提供することを目的とするものである。
【０００８】
【課題を解決するための手段】
上記目的を達成するために、本願発明は、上部に引掛片を有する据付具を空気調和機本体の据付位置に固定し、この据付具の引掛片に空気調和機本体の背面上部に形成された引掛部を掛けるようにした空気調和機において、前記据付具には、引掛片と平行な方向に長い横方向孔と、側辺と平行な方向に長い上方向孔とを有する位置決め孔を設け、上方向孔を横方向孔よりも上方に配置するとともに上方向孔と横方向孔を連通し、横方向孔の端から上方向孔との合流点までの長さを空気調和機本体幅と据付具幅の差の１／２より長い所定長に形成し、上方向孔の上端から横方向孔との合流点までの長さを引掛部の下端から空気調和機本体の上端までの長さより長い所定長に形成したことを特徴とするものである。
【０００９】
また、前記位置決め孔を逆Ｔ字型に形成したことを特徴とするものである。
【００１０】
また、前記逆Ｔ字型の位置決め孔を２つ設けたことを特徴とするものである。
【００１１】
さらには、前記位置決め孔は、横方向孔と横方向孔に任意の間隔を隔てて形成された２本の上方向孔とを有することを特徴とするものである。
【００１２】
【発明の実施の形態】
以下、本願発明の実施形態を図面を参照して詳細に説明する。
【００１３】
図１〜図３は実施形態の据付具の構成と据付過程の第１〜第３の状態を示す図であり、図４は据付具を用いて据え付けられた室内機の側断面図である。
【００１４】
図４に示すように、室内機１には、外装ケース２の前面と上部に空気吸込口３，４が設けられ、下側には斜め下向きに開口する空気吹出口５が設けられている。上記前面側の空気吸込口３は取り外し可能な吸込口パネル６で覆われている。
【００１５】
また、上記空気吹出口５に向けて通風路７が形成されており、この通風路７の入口側に貫流式のクロスフローファン８が配設されている。そして、上記空気吸込口３，４とクロスフローファン８との間に熱交換器９が配設され、冷房運転時にはファン８により吸い込まれた空気を冷却し、暖房運転時にはファン８により吸い込まれた空気を加熱するようになっている。なお、上記空気吸込口３，４と熱交換器９との間には、エアフィルタ１０等が配設されている。
【００１６】
また、上記空気吹出口５の奥側には、吹き出される空気の左右方向の吹出角度を変更するための複数枚の風向変更板１１が左右方向に連動して回動自在に設けられている。
【００１７】
上記室内機１の外装ケース２の背面上部側には、据付壁２０に固定した据付具１２の上部左右２箇所に形成された引掛片１２ａに掛けられる引掛部２ａが形成されている。
【００１８】
上記据付具１２は鉄板製で、図１〜図３に示すように、上部左右２箇所に上述した引掛片１２ａ，１２ａが突設され、下部側は幅狭となっている。その大きさは、図３に２点鎖線の仮想線で示すように据え付けられる室内機１に隠れる程度の大きさである。なお、図１〜図３は、天井３０と右側壁４０とのコーナー部分に室内機１を据え付ける場合を示している。
【００１９】
ここで、本実施形態では、上記据付具１２の上部側中央部に逆Ｔ字型の位置決め孔１３を形成している。当該位置決め孔１３は、引掛片１２ａ、１２ａと平行な方向に長い横方向孔１３ａと、当該横方向孔１３ａの中央から上方に連通して側辺と平行な方向に長い上方向孔１３ｂとから成る。この位置決め孔１３は、当該据付具１２を室内機１を据え付けるための所定位置に簡単に位置決めするためのものである。
【００２０】
そのため、当該逆Ｔ字型位置決め孔１３の横方向孔１３ａと上方向孔１３ｂの寸法は以下のように決められている。
【００２１】
すなわち、図３に示すように、室内機１の幅をＷ１とし、据付具１２の幅をＷ２とすると、横方向孔１３ａの両端から上方向孔１３ｂとの合流点までの各長さＡは、
（Ｗ１−Ｗ２）／２＜Ａ    ・・・・・・式１
を満足する所定長に設定される。具体的には、この所定長Ａが、室内機１の幅Ｗ１と据付具１２の幅Ｗ２の差の１／２，つまり据付具１２の側端からの室内機１のはみ出し分に、室内機１と側壁４０との間に必要な隙間（Ｓ１）を加えた長さになるようにする。
【００２２】
一方、図４に示すように、室内機１の背面上部に形成された引掛部２ａの下端から室内機１本体の上端までの高さをＣとすると、逆Ｔ字型位置決め孔１３における上方向孔１３ｂの長さ，すなわち上方向孔１３ｂの上端から横方向孔１３ａとの合流点までの長さＢは、
Ｃ＜Ｂ                  ・・・・・・式２
を満足する所定長に設定される。具体的には、この所定長Ｂが、据付具１２の上部側に突設された引掛片１２ａの上端と天井３０との間の間隔となることから、この間隔が室内機１の引掛部２ａの高さＣより大きく（引掛部２ａを通すことができる間隔）、かつ室内機１と天井３０との間に必要な隙間（Ｓ２）を考慮した長さになるようにする。
【００２３】
なお、図示は省略したが、前述したように、据付具１２には、ネジ止め固定可能な箇所が壁面毎に限られる据付壁２０に対応するために、選択使用可能な多数のビス孔が形成されている。
【００２４】
さて、以上のように構成された本実施形態においては、図１〜図３に示すようにして、据付具１２を室内機１の据付位置に正しく取り付けることができる。
【００２５】
すなわち、先ず図１に示すように、据付具１２を、その上端部（引掛片１２ａの上端）と右端部をそれぞれ天井３０と右側壁４０に当てた状態で、逆Ｔ字型位置決め孔１３における横方向孔１３ａの左端部にビス１４で仮止めする。なお、この箇所がビス１４でしっかりとネジ止めできない壁面であっても、仮止めであるので問題ない。
【００２６】
次に、図２に示すように、上記仮止めビス１４が逆Ｔ字型位置決め孔１３の横方向孔１３ａの中央位置，すなわち上方向孔１３ｂとの合流点まで来るように、据付具１２を横方向に移動する。
【００２７】
そして、図３に示すように、仮止めビス１４が上方向孔１３ｂの上端位置まで来るように、据付具１２を真下方向に移動する。この位置で、ネジ止め固定可能な適当なビス孔を使って据付具１２をしっかりと本止めし、室内機１の背面上部の引掛部２ａを据付具１２の上部側の引掛片１２ａに掛けることにより、室内機１が据付位置に正しく据え付けられる。このとき、室内機１の外装ケース２は、天井３０にも側壁４０にも当たることなく、適度な隙間Ｓ１，Ｓ２を有して据え付けられる。
【００２８】
このように、本実施形態によれば、スケール等を使用せず、また室内機１の仮据付等を行わずに、簡単に据付位置を決めることができ、据付作業が大幅に簡略化できる。
【００２９】
ところで、上記の説明では、逆Ｔ字型位置決め孔１３の右側部分を使用していないが、これは室内機１を天井３０と右側壁４０とのコーナー部分に据え付ける例のためであり、これとは逆に天井３０と左側壁とのコーナー部分に据え付ける場合は右側部分が使用される。このように、逆Ｔ字型の位置決め孔１３を用いることにより、左右いずれのコーナー部分への据付にも対応できる。なお、それぞれのコーナー部分用のＬ字型の位置決め孔を設けるようにしても良い。
【００３０】
また、上記実施形態では、据付具１２の上部中央位置に逆Ｔ字型位置決め孔１３を１つ設けたが、このような逆Ｔ字型位置決め孔１３を左右あるいは上下等に間隔をおいて２つ設けることにより、２点支持で仮止めできるので、図３に示した状態で行なう本止め作業を、据付具１２の回転位置ズレを心配することなく容易に行うことができるようになる。
【００３１】
なお、逆Ｔ字型位置決め孔１３を３つ以上設けることも可能であるが、据付具１２の回転位置ズレを防ぐには２点支持で十分であり、３つ以上設けることによる手間等を考えると２つが最も効果的である。
【００３２】
一方、上記のように、逆Ｔ字型位置決め孔１３を２つ設ける代わりに、図５に示すような形状の位置決め孔１５を設けると、上記と同様な効果が得られると共に、この場合、位置決め孔が１つで済む利点がある。
【００３３】
すなわち、図５に示す実施形態の位置決め孔１５は、横方向孔１５ａと当該横方向孔１５ａに連通し任意間隔Ｄを隔てて形成された２本の上方向孔１５ｂ，１５ｂとから成る。上記横方向孔１５ａの両端から両上方向孔１５ｂ，１５ｂとの合流点までの各長さＡは前記実施形態と同様に前記式１を満足する所定長に設定される。また、２本の上方向孔１５ｂ，１５ｂの長さＢも前記実施形態と同様に前記式２を満足する所定長に設定される。
【００３４】
また、横方向孔１５ａの端部に仮止めされる第１の仮止めビス１６ａの他に、第２の仮止めビス１６ｂが必要となり、この第２の仮止めビス１６ｂは第１の仮止めビス１６ａから両上方向孔１５ｂ，１５ｂの間隔Ｄと同じ間隔Ｄを隔ててネジ止めしなければならない。そのため、横方向孔１５ａの両端部から間隔Ｄを隔てた箇所に第２の仮止めビス１６ｂをネジ止めする目印となるマーク１５ｃを形成してある。
【００３５】
通常、上記マーク１５ｃは左側の分と右側の分の２つ必要となるが、本実施形態では、両上方向孔１５ｂ，１５ｂの間隔Ｄを２Ａとすることにより、共通の１つのマーク１５ｃで済むようにしている。これにより、室内の右側壁側に据え付ける場合と左側壁側に据え付ける場合で、第２の仮止めビス１６ｂのマークの見間違い等を防ぐことができる。
【００３６】
【発明の効果】
以上のように本願発明によれば、空気調和機本体の据付具に、引掛片と平行な方向に長い横方向孔と、側辺と平行な方向に長い上方向孔とを有する位置決め孔を設け、上方向孔を横方向孔よりも上方に配置するとともに上方向孔と横方向孔を連通し、横方向孔の端から上方向孔との合流点までの長さを空気調和機本体幅と据付具幅の差の１／２より長い所定長に形成し、上方向孔の上端から横方向孔との合流点までの長さを引掛部の下端から空気調和機本体の上端までの長さより長い所定長に形成したので、この据付具の上端部と側端部をそれぞれ天井や側壁に当てた状態で横方向孔の他端部にビスで仮止めして、当該仮止めビスが上方向孔の上端に来るように据付具を移動するだけで、据付具を本体据付位置に正確に位置決めできる。従って、スケール等を使用せず、また本体の仮据付等を行わずに、簡単に据付位置を決めることができ、据付作業が大幅に簡略化できる。
【００３７】
また、上記位置決め孔を逆Ｔ字型に形成することにより、上記効果に加えて、左右いずれのコーナー部分への据付にも対応できるようになる。
【００３８】
また、上記逆Ｔ字型位置決め孔を２つ設けることにより、上記効果に加えて、据付具の本止め作業を、据付具の回転位置ズレを心配することなく容易に行うことができる。
【００３９】
さらに、上記位置決め孔は、横方向孔と横方向孔に任意の間隔を隔てて形成された２本の上方向孔とを有するようにしたので、上記と同様な効果が得られると共に、位置決め孔が１つで済む利点がある。
【図面の簡単な説明】
【図１】本願発明の実施形態における据付具の構成と据付過程の第１の状態を示す図。
【図２】同じく、据付過程の第２の状態を示す図。
【図３】同じく、据付過程の第３の状態を示す図。
【図４】据付具を用いて据え付けられた室内機の側断面図。
【図５】他の実施形態における位置決め孔を示す図。
【符号の説明】
１  室内機（空気調和機本体）
２  外装ケース
２ａ  引掛部
１２  据付具
１２ａ  引掛片
１３  逆Ｔ字型位置決め孔
１３ａ  横方向孔
１３ｂ  上方向孔
１４  仮止めビス
１５  位置決め孔
１５ａ  横方向孔
１５ｂ  上方向孔
１６ａ，１６ｂ  仮止めビス
２０  据付壁
３０  天井
４０  側壁
【図１】
0003561606.tif 000002
【図２】
0003561606.tif 000003
【図３】
0003561606.tif 000004
【図４】
0003561606.tif 000005
【図５】
0003561606.tif 000006